(57)【特許請求の範囲】
【請求項１】
ケース内にテープを周囲に巻回する回転ドラムを軸支し、この回転ドラムにテープを巻き込み方向に付勢する付勢手段が内装された巻尺に於いて、ケース前壁にケース内方に押し込み可能な制動操作部を設けると共に、該制動操作部に、前記回転ドラムのディスク内面に接触するブレーキシューを接続してなる巻尺。
【請求項２】
前記制動操作部が、弾性素材で形成されていると共にケース部材とほぼ密接状態に設けられていることを特徴とする請求項１に記載の巻尺。
【請求項３】
前記制動操作部が、切り込みを入れたケース部材であることを特徴とする請求項１に記載の巻尺。
【請求項４】
前記ブレーキシューをケース部材と一体に形成するとともに、ブレーキシューの先端を前記回転ドラムのディスク内面に臨ませ、前記制動操作部を回転ドラム側に押し込むとブレーキシューの先端がディスク内面に摺接するように構成してなる請求項１に記載の巻尺。
【発明の詳細な説明】
【０００１】
【産業上の利用分野】
本発明は、テープの巻込用付勢手段が内装された巻尺のテープ制動装置に関する。
【０００２】
【従来技術と問題点】
従来、テープを巻き込み方向に付勢するコイルバネ等の付勢手段が内装された巻尺には、テープを付勢手段の付勢力に抗して任意の引き出し位置に停止させる制動装置を備えるものが多い。
それらの中には、制動操作部のボタンやレバーを操作することによって、引き出したテープを任意の位置に停止させたまま保持する制動装置やボタンの押し込みなどの操作時のみテープを停止させる制動装置がある。
【０００３】
そして、操作時のみテープを停止させる制動装置を備える巻尺は比較的低価格の巻尺に用いる制動装置であるため、制動装置またその制動操作部の設置に際しては、容易に設置することができるケースの側面が主であった。
しかし、ケースの側面に制動操作部が設置されているものは、作業者の手に、巻尺本体を支持する支持力と、引き出したテープを停止させる制動操作部の押圧力の二つの力を要求することになり、作業者の手にかなりの力的負担がかかっていた。
【０００４】
このことから、本出願人によって制動装置またその制動操作部をケースの底面に設けたものが提案され、これによって、ケースの支持力を不安定にすることなく、引き出したテープを確実に停止させておくことができるようになり、巻尺の落下やテープの急な引き込みによる負傷がなくなった。
しかし、引き出したテープを数センチメートルまたは数十センチメートルづつ引き込みながら行う測定作業の時は、ケースの底面の指の押圧力をこまめに調節しながら操作しなければならず、そして、この操作は作業者の年齢が増すに従い極めてやり難いものであった。
【０００５】
【目的】
本発明は上述した問題点に鑑みてなされたもので、巻尺を確実に支持することができると共に、通常の制動操作に加え短距離の引き込み操作が伴う測定作業の時でも、その操作を安全且つ容易にすることができる巻尺を提供することを目的とするものである。
【０００６】
【問題を解決するための手段】
本発明の要旨とすることころは、ケース内にテープを周囲に巻回する回転ドラムを軸支し、この回転ドラムにテープを巻き込み方向に付勢する付勢手段が内装された巻尺に於いて、ケース前壁にケース内方に押し込み可能な制動操作部を設けると共に、該制動操作部に、前記回転ドラムのディスク内面に接触するブレーキシューを接続したことを特徴とする巻尺である。
【０００７】
この巻尺をさらに詳しく説明すると、ケース内にテープを周囲に巻回する回転ドラムが軸支され、そこに、テープを巻き込み方向に付勢する付勢手段として、ケースの内部にテープを巻き込み付勢するコイルバネが内装され、このコイルバネは内端をケース内に設けられている軸に巻き取られ、その外端はテープに連結されて、テープを引き出すことによってコイルバネに巻き込みエネルギーが蓄積されるようになっている。
このように構成されている巻尺のケース前壁に、テープを減速または停止させる制動装置の制動操作部を設けたもので、制動の必要時には、制動操作部をケース内方へ押すことによって、制動操作部と接続されているブレーキシューが回転ドラムと接触してテープに制動がかかる。
【０００８】
ケース前壁とは、ケース下方のテープの出入口からケースの最高部（頂点部）の間に位置する壁を指すものであり、この部位の好適位置にケース内方に押込み可能な制動装置の制動操作部を設ける。
そして、制動操作部は好適な素材（樹脂／金属材等）で成形して、それに接続されるブレーキシューを、弾性板やスプリングまた制動操作部本体等によって、回転ドラムから所望の間隔を開けて弾発的に支持するのがよい。
弾発的に支持させる方法等は特に限定するものではなく、好適な方法により支持すればよい。
【０００９】
制動操作部は、通常ボタン形状であるが、これをゴム・シリコン・エラストマ等の弾性素材で成形して、制動操作部を設置するためのケースの開口にほぼ密接状態に設けるようにし、異物が入らないようにすることが望ましい。
さらには、前壁のケース部材に適当な切込みを入れて、その部分を弾力性を備えた制動操作部としてもよい。
【００１０】
そして、ブレーキシューは、回転ドラムの両側のディスクに接触させるようにするのが望ましい。
ブレーキシューの形状・材質等は、制動性能を損なうことがなければそれらを特に限定するものではない。
【００１１】
ブレーキシューと制動操作部との接続方法は特に限定するものではなく任意の方法で接続すればよい。また、ブレーキシューと制動操作部を一体の部品として形成してもよい。
なお、ディスク内周面とは、回転ドラムのテープの巻胴側を指すものである。
【００１２】
【作用】
本発明の巻尺は以上のような構造であることから、制動を必要とする時、ケースを片手で保持し親指でケース前壁の制動操作部をケース内方へ押す。
これにより、制動操作部と接続されているブレーキシューが、テープ巻き取り用の回転ドラムのディスク周縁に押圧されてテープに制動がかかる。
【００１３】
このとき、巻尺を支持している手および指は、親指以外の指でケースの底面を支え、親指の付け根およびその付け根付近の手のひらでケース上部を支えて、そして親指によって制動操作部が操作される。
これにより、巻尺の支持力を十分得られると共に、制動操作を的確に行うことができる。
【００１４】
【実施例】
本発明の巻尺を図面に従って説明すると、図１は、本発明に係わる巻尺のハーフケースを外した状態の側面図であり、１はケース前壁１３に制動操作部２１を設けた本発明に係わる巻尺、２は制動装置で、制動操作部２１とブレーキシュー２２を備えて、制動操作部２１が弾性板４によってハーフケース１１およびハーフケース１２（図示せず）の開口１４内に弾発支持される。
３はテープ７の巻き取り用の回転ドラムで、ハーフケース１１およびハーフケース１２（図示せず）の内壁１５に立設された軸１８に軸支されている。３１はディスク周縁で、制動時の制動操作部２１の押し込みによりブレーキシュー２２が接触する。
【００１５】
５はテープ７を巻き込み方向に付勢するコイルバネ、６はテープ７が出入する出入口で、また７１はテープ７の係止片である。
図２は、本発明に係わる巻尺の正面図であり、テープ７の制動装置２の制動操作部２１が巻尺１のケース前壁１３に設けられているので、制動を必要とする時はケース前壁１３の制動操作部２１をケース内方へ押す。
これにより、制動装置２の制動操作部２１と接続されているブレーキシュー２２が、テープ７の巻き取り用の回転ドラム３のディスク周縁３１に押圧されてテープ７に制動がかかる。（図１を参照）
【００１６】
図３は、制動操作部が弾性素材で成形された巻尺の部分拡大図であり、この実施例は、制動装置２の制動操作部２１が弾性材料で形成されて、ケース前壁１３のハーフケース１１およびハーフケース１２（図示せず）の開口１４内（図１参照）にケース部材とほぼ密接状態に設けられている。
ブレーキシュー２２は、弾性材料から形成された制動操作部２１自体の弾発性によって、回転ドラム３のディスク周縁３１から所望の間隔が開けられて支持される。
また、図４は、制動操作部が弾性素材で成形された巻尺の正面図である。
【００１７】
図５は、制動操作部が切込みを入れたケース部材からなる巻尺の部分拡大図であり、この実施例は、制動装置２の制動操作部２１が、ケース前壁１３のハーフケース１１およびハーフケース１２（図示せず）のケース部材に適当な切込み１６を入れて、弾力性を備えさせたケース部材からなる。
ブレーキシュー２２は、この実施例ではケース部材と一体成型されているもので、制動操作部２１自体の弾発性によって、回転ドラム３のディスク周縁３１から所望の間隔が開けられて支持される。
また、図６は、制動操作部が切込みを入れたケース部材からなる巻尺の正面図である。
【００１８】
図７は、ブレーキシュー２２が回転ドラムのディスク周縁と接触する巻尺の部分断面図である。また、図８は、ブレーキシュー２２が回転ドラム３のディスク内面と接触する巻尺の部分断面図であり、制動操作部２１がハーフケース１１およびハーフケース１２の開口１４内に抜け止め２３によって脱落不能に設けられ、制動操作部２１の下方端部がケース部材と一体成型されたブレーキシュー２４と接しており、制動操作部２１をケース内方へ押すことによってブレーキシュー２４が回転ドラム３のディスク内面３２側に曲がると共に、ディク内面３２を押圧してテープ７に制動がかかる。図９は、図８の実施例を発展させたもので、ブレーキシュー２２が、回転ドラム３のディスク周縁３１の内側に慴接して制動力を得るものである。
【００１９】
【効果】
本発明の巻尺は以上のように、制動装置の制動操作部を巻尺のケース前壁に設けているため、巻尺ケースの通常の握り位置において、親指が制動操作部上に自然に位置することになり、制動時にはそのままの状態で親指を握りを強める方向に押し込めばよいので、極めて自然な動作で制動を行うことができ、持ち替えは持論、指の位置のずらし等の無駄な動きは一切必要はない。また、通常の制動操作に加え、テープをこまめに引き出す短距離の引き込み調整操作が伴う測定作業の時でも、その操作を安全且つ容易にすることができる。
このように、巻尺を使用する作業者の年齢を問わず、誰でも容易に制動操作にすることができる。
【図面の簡単な説明】
【図１】  本発明に係わる巻尺のハーフケースを外した状態の側面図
【図２】  本発明に係わる巻尺の正面図
【図３】  制動操作部が弾性素材で成形された巻尺の部分拡大図
【図４】  制動操作部が弾性素材で成形された巻尺の正面図
【図５】  制動操作部が切込みを入れたケース部材からなる巻尺の部分拡大図
【図６】  制動操作部が切込みを入れたケース部材からなる巻尺の正面図
【図７】  ブレーキシューが回転ドラムのディスク周縁と接触する巻尺の部分断面図
【図８】  ブレーキシューが回転ドラムのディスク内面と接触する巻尺の部分断面図
【図９】  ブレーキシューが回転ドラムのディスク内面と接触する巻尺の部分断面図
【符号の説明】
１−巻尺，１１−ハーフケース，１２−ハーフケース，１３−ケース前壁，１４−開口，１５−内壁，１６−切込み，１７−突部，１８−軸，２−制動装置，２１−制動操作部，２２−ブレーキシュー，２３−抜け止め，２４−ブレーキシュー，３−回転ドラム，３１−ディスク周縁，３２−ディスク内面，４−弾性板，５−コイルバネ，６−出入口，７−テープ，７１−係止片
【図１】
0003904312.tif 000002
【図２】
0003904312.tif 000003
【図３】
0003904312.tif 000004
【図４】
0003904312.tif 000005
【図５】
0003904312.tif 000006
【図６】
0003904312.tif 000007
【図７】
0003904312.tif 000008
【図８】
0003904312.tif 000009
【図９】
0003904312.tif 000010